(57)【要約】    【課題】より確実に情報を検索できる情報検索方法を、提供する。    【解決手段】出力順の指標として使用される各検索対象情報の総合得点（Ｓ２１０）が、各項目値が指定された範囲内の値であるか否かだけではなく（Ｓ２０４，Ｓ２０９）、各項目値が指定された範囲近傍の値であるか否かも考慮されて（Ｓ２０７，Ｓ２０８）、ユーザによって指定された重要度から、算出されるようにしておく。    【選択図】図６
2008107868.tif 000002
【特許請求の範囲】
【請求項１】
コンピュータに、
ユーザから、複数種類の項目値のそれぞれについて，その項目値が取るべき値の範囲を指定する範囲指定情報と，数値情報である重要度とを取得する取得ステップと、
前記取得ステップによって取得された前記複数種類の項目値のそれぞれについての前記範囲指定情報に基づき、前記複数種類の項目値を含む情報である複数の検索対象情報のそれぞれについて、その検索対象情報に関する総合得点として、各項目値に関する項目値単位得点の総和を算出する算出ステップであって、前記取得ステップによって取得された範囲指定情報により指定される範囲内の値となっている各項目値に関する前記項目値単位得点を,各項目値に関して前記取得ステップによって取得された重要度と一致する第１得点とし、当該範囲内の値とはなっていないが，当該範囲からの隔たり量が所定値以下となっている各項目値に関する項目値単位得点を，各項目値に関して前記取得ステップによって取得された重要度に“１”以下の比例係数を乗じた値である第２得点とし、当該範囲からの隔たり量が所定値を超えている各項目値に関する項目値単位得点を，前記第２得点よりも少ない第３得点として、前記総合得点を算出する算出ステップと、
検索結果として、前記算出ステップにより算出された総合得点の降順に，所定数の検索対象情報を出力する検索結果出力ステップと
を実行させることを特徴とする情報検索方法。
【請求項２】
前記算出ステップが、
前記比例係数として、前記範囲からの隔たり量に応じた予め定められている値を使用するステップである
ことを特徴とする請求項１記載の情報検索方法。
【請求項３】
前記取得ステップが、
ユーザから、複数種類の項目値のそれぞれについて，ニアリー検索を行うか否かについての指示も取得するステップであり、
前記算出ステップが、
ニアリー検索を行わないことが指示されている項目値が、前記取得ステップによって取得された範囲指定情報により指定される範囲内の値ではない場合、その項目値に関する項目値単位得点を，前記第３得点とするステップである
ことを特徴とする請求項１又は請求項２に記載の情報検索方法。
【請求項４】
前記取得ステップが、
地名に関する項目値を含む複数種類の項目値のそれぞれについての範囲指定情報を取得するステップであり、
前記算出ステップが、
地名に関する項目値については、その項目値が，前記取得ステップにより前記範囲指定情報として取得された地名と一致していた場合に，前記項目値単位得点を前記第１得点とし、その項目値が，前記取得ステップにより前記範囲指定情報として取得された地名が示している地域に隣接するいずれかの地域の地名と一致していた場合に、前記項目値単位得点を前記第２得点とし、それら以外の場合には、前記項目値単位得点を前記第３得点とするステップである
ことを特徴とする請求項１乃至請求項３のいずれかに記載の情報検索方法。
【請求項５】
前記検索結果出力ステップが、
各項目値が、前記項目値単位得点として、前記第１得点，前記第２得点，前記第３得点のいずれが用いられたものかが分かる形で、前記所定数の検索対象情報を出力するステップである
ことを特徴とする請求項１乃至請求項４のいずれかに記載の情報検索方法。
【発明の詳細な説明】
【技術分野】
【０００１】
本発明は、情報検索方法に関する。
【背景技術】
【０００２】
周知のように、インターネット上には、各種項目に関する値の範囲を指定して情報を検索できるサイト（住宅に関する情報を提供しているサイトや，結婚情報サービスを行っているサイト）が存在しているが、そのようなサイトは、或る項目に関する値が指定した範囲から僅かにずれている情報が，検索結果として出力されないもの，或いは，そのような情報の，検索結果中での表示順位が低くなるものとなっている。
【０００３】
このため、既存のサイトを利用した情報の検索時には、自身の希望を満たす情報が実際には存在するにも拘わらず、指定した範囲が適切なものでなかったため、当該情報が検索されない／当該情報の検索結果中での表示順位が低くなり当該情報の存在に気が付かない、といったことがしばしば生じていた。
【０００４】
また、既存のサイトの中には、各検索項目に関する優先順位をユーザが指定しておくと、指定されている優先順位を考慮した順で検索結果を表示するもの（例えば、特許文献１参照。）も存在している。ただし、そのようなサイトは、各優先順位がどのように使用されて検索結果の表示順が決定されるのかが分からないもの（各検索項目をどの程度重要視するのかをユーザが直接的に指定できないもの）となっている。このため、各検索項目に関する優先順位を指定可能な既存のサイトを利用した情報の検索時には、自身の希望を満たす情報が実際には存在するにも拘わらず、或る検索項目に関する優先順位を低く指定してしまったため、所望の情報の検索結果中での表示順位が低くなるといったことがしばしば生じていた。
【０００５】
【特許文献１】特開２００２−２６９１０８号公報
【発明の開示】
【発明が解決しようとする課題】
【０００６】
そこで、本発明の課題は、より確実に（上記のような問題が生じない不具合が生じない形で），所望の情報を検索できる情報検索方法を、提供することにある。
【課題を解決するための手段】
【０００７】
上記課題を解決するために、本発明では、情報検索方法を、コンピュータに、ユーザから、複数種類の項目値のそれぞれについて，その項目値が取るべき値の範囲を指定する範囲指定情報を取得する取得ステップと、取得ステップによって取得された複数種類の項目値のそれぞれについての範囲指定情報に基づき、複数種類の項目値を含む情報である複数の検索対象情報のそれぞれについて、その検索対象情報に関する総合得点として、各項目値に関する項目値単位得点の総和を算出する算出ステップであって、取得ステップによって取得された範囲指定情報により指定される範囲内の値となっている各項目値に関する項目値単位得点を,各項目値に関して取得ステップによって取得された重要度と一致する第１得点とし、当該範囲内の値とはなっていないが，当該範囲からの隔たり量が所定値以下となっている各項目値に関する項目値単位得点を，各項目値に関して取得ステップによって取得された重要度に“１”以下の比例係数を乗じた値である第２得点とし、当該範囲からの隔たり量が所定値を超えている各項目値に関する項目値単位得点を，第２得点よりも少ない第３得点として、総合得点を算出する算出ステップと、検索結果として、算出ステップにより算出された総合得点の降順に，所定数の検索対象情報を出力する検索結果出力ステップとを実行させるものとしておく。
【０００８】
すなわち、本発明の情報検索方法は、出力順の指標として使用される各検索対象情報の総合得点が、各項目値が指定された範囲内の値であるか否かだけではなく、各項目値が指定された範囲近傍の値であるか否かも考慮されて、各項目値の重要度から算出される方法となっている。このため、この情報検索方法を用いれば、或る項目値が指定された範囲の値から僅かにずれている情報も検索結果として出力される形で、情報を検索できることになる。また、本発明の情報検索方法は、出力順の指標である総合得点を算出するために使用される各項目値の重要度（の値）を，ユーザが指定できるものとなっている。従って、本発明の情報検索方法は、ユーザが特に希望する特定の条件を満たす情報の出力順を高くすることも可能な方法であることにもなる。
【０００９】
なお、本発明の情報検索方法の検索結果出力ステップは、総合得点の降順に，Ｎ個ずつ検索対象情報を出力するようなものであっても良く、総合得点の降順に検索対象情報を所定数印刷した用紙を出力するようなものであっても良い。また、第３得点としては、“０”以外の値を使用することも可能であるが、検索結果出力ステップの処理内容を簡単なものとするために、“０”を使用しておくことが望ましい。
【００１０】
本発明の情報検索方法を実施するに際しては、取得ステップが、ユーザから、複数種類の項目値のそれぞれについて，その項目値が取るべき値の範囲を指定する範囲指定情報と，ニアリー検索を行うか否かについての指示とを取得するステップとなるように、算出ステップが、ニアリー検索を行わないことが指示されている項目値が、取得ステップによって取得された範囲指定情報により指定される範囲内の値ではない場合、その項目値に関する項目値単位得点を，第３得点とするステップとなるようにしておいても良く、取得ステップが、地名に関する項目値を含む複数種類の項目値のそれぞれについての範囲指定情報を取得するステップとなるように、算出ステップが、地名に関する項目値については、その項目値が，取得ステップにより範囲指定情報として取得された地名と一致していた場合に，項目値単位得点を第１得点とし、その項目値が，取得ステップにより範囲指定情報として取得された地名が示している地域に隣接するいずれかの地域の地名と一致していた場合に、項目値単位得点を第２得点とし、それら以外の場合には、項目値単位得点を第３得点とするステップとなるようにしておいても良い。
【００１１】
各項目値が、項目値単位得点として、第１得点，第２得点，第３得点のいずれが用いられたものかが分かる形で、所定数の検索対象情報を出力するステップである
【発明を実施するための最良の形態】
【００１２】
以下、本発明を実施するための最良の形態を、図面を参照して詳細に説明する。
【００１３】
まず、図１乃至図３を用いて、本発明の一実施形態に係る情報検索装置１０の構成を、説明する。
【００１４】
本実施形態に係る情報検索装置１０は、各会員（所定の会員登録手続を行った者）に、希望条件を満たす異性会員に関する情報を提供するサービス（いわゆる結婚情報サービス）をインターネットを利用して行うための装置である。
【００１５】
図１に示してあるように、情報検索装置１０は、会員情報データベース１１，ニアリー条件テーブル１２及び都道府県情報テーブル１３を、備えている。なお、情報検索装置１０は、比較的に高機能なコンピュータに，各種のプログラムやデータ（会員情報データベース１１等）をインストールした装置であるため、情報処理装置１０の具体的なハードウェア構成の説明は、省略する。
【００１６】
情報検索装置１０内の会員情報データベース１１は、図２に示したように、会員登録手続を行った各会員についての各種の情報（年齢、学歴等）を管理しておくためのデータベースである。図示は省略してあるが、この会員情報データベース１１は、性別，ログインパスワード，顔写真データ（画像データ）等も記憶されるデータベースとなっている。また、図２に示してある各情報は、女性会員のものである。
【００１７】
ニアリー条件テーブル１２は、図３に示してあるように、“年齢”，“身長”といった検索項目のそれぞれついて、ニアリー範囲規定情報と得点算出用係数規定情報とが記憶されているテーブルである。このニアリー条件テーブル１２上の各情報の用途については後述するが、ニアリー条件テーブル１２は、得点算出用係数規定情報として、幾つかの比例係数（“５０％”等）と，各比例係数を使用する条件を示す情報（“差＝１”等）とからなる情報、或いは、比例係数のみ（住所に関する“５０％”）が、記憶されるテーブルとなっている。
【００１８】
都道府県情報テーブル１３は、都道府県の名称から，隣接する各都道府県の名称を特定（検索）できる情報が記憶されているテーブルである。
【００１９】
次に、情報検索装置１０の動作を、説明する。
【００２０】
情報検索装置１０（図１参照）は、或る会員が端末３０（Ｗｅｂブラウズが可能なもの）を利用してアクセスしてきた場合には、各種Ｗｅｂページへのリンクが設けられているトップページを，アクセスしてきた会員（以下、アクセス者と表記する）に提供する処理（トップページ用のソースデータを，アクセス者の端末３０に返送する処理）を、行う。
【００２１】
そして、情報検索装置１０は、トップページ上の所定のリンクが操作された場合（当該リンクの操作により送信される，検索条件入力ページを要求するリクエストを受信した場合）には、アクセス者に検索条件入力ページを提供する処理を行う。
【００２２】
ここで、検索条件入力ページとは、図４に示した構成のＷｅｂページのことである。
【００２３】
すなわち、検索条件入力ページは、検索項目（“年齢”，“学歴”）毎に、検索項目の値に関する条件を設定（選択）するための条件設定用アイテム（１つ或いは２つのドロップダウンリストボックス）と，重要度を指定（選択）するための重要度設定用アイテム（ドロップダウンリストボックス）とが設けられ、幾つかの検索項目については、ニアリー検索（詳細は後述）を行うか否かを指定するためのニアリー検索実行設定用チェックボックスが設けられているＷｅｂページとなっている。また、検索条件入力ページは、それをクリックすると，検索条件入力ページ上の各種アイテムの設定値が含まれるリクエスト（情報検索装置１０が受信することになるリクエスト：以下、検索リクエストと表記する）がインターネット上に送信される“検索”ボタン、それをクリックすると，各種アイテムの値が初期値に戻る“クリア”ボタンも設けられているＷｅｂページとなっている。
【００２４】
さらに、検索条件入力ページは、各アイテムの初期値として、アクセス者の性別及び年齢に応じた値（性別及び年齢別に予め定められている値）が示されるＷｅｂページ（情報検索装置１０が、アクセス者の性別及び年齢に応じて、各アイテムの初期値を変更するＷｅｂページ）となっている。
【００２５】
アクセス者が検索条件入力ページ上の“検索”ボタンをクリックした場合（“検索”ボタンのクリックにより送信された検索リクエストを受信した場合）、情報検索装置１０は、図５に示した手順の処理を開始する。
【００２６】
すなわち、検索リクエストを受信した情報検索装置１０は、会員情報データベース１１内の，アクセス者とは性別が異なる会員に関する全レコードの処理が完了していないことを確認(ステップＳ１０１；ＮＯ)してから、会員情報データベース１１内の最初のレコード（アクセス者とは性別が異なる会員に関するもの）を処理対象レコードとして読み出す処理(ステップＳ１０２)を行う。次いで、情報検索装置１０は、総合得点算出処理(ステップＳ１０３)を開始する。
【００２７】
この総合得点算出処理は、図６に示した手順で、処理対象レコードに関する総合得点を算出・記憶する処理である。
【００２８】
すなわち、総合得点算出処理時、情報検索装置１０は、まず、変数ＳＵＭに“０”をセットする(図６：ステップＳ２０１)。そして、情報検索装置１０は、全検索項目に関する処理が完了していないことを確認(ステップＳ２０２；ＮＯ)してから、最初の検索項目を処理対象検索項目として特定し、処理対象検索項目がニアリー検索が可能な項目であるか否かを判断した上で，処理対象検索項目に関する各種の情報を把握する処理(ステップＳ２０３)を行う。
【００２９】
より具体的には、情報検索装置１０は、ステップＳ２０３にて、以下の処理を行う。
【００３０】
ステップＳ２０３にて、情報検索装置１０は、まず、処理対象検索項目を特定する処理を行う。次いで、情報検索装置１０は、ニアリー条件テーブル１１（図３）に処理対象検索項目に関する情報（ニアリー範囲規定情報及び得点算出用係数規定情報）が記憶されているか否かを、判断する。そして、情報検索装置１０は、ニアリー条件テーブル１１に処理対象検索項目に関する情報が記憶されていなかった場合（処理対象検索項目がニアリー検索が不可能なものであった場合）には、処理対象レコード中の処理対象検索項目の値（会員情報データベースに記憶されている或る会員の年齢等；以下、処理対象検索項目値と表記する）と，検索リクエストに処理対象検索項目に関するものとして含まれている条件値（条件設定用アイテムの設定値）及び重要度（重要度設定用アイテムの設定値）を、処理対象検索項目に関する情報（以後の処理で使用する情報）として把握して、ステップＳ２０３の処理を終了する。また、情報検索装置１０は、ニアリー条件テーブル１１に処理対象検索項目に関する情報が記憶されていた場合（処理対象検索項目がニアリー検索が可能なものであった場合）には、処理対象検索項目値と、検索リクエストに処理対象検索項目に関するものとして含まれている条件値，重要度及びニアリー検索実行採否値（ニアリー検索実行設定用チェックボックスの設定値）と、ニアリー条件テーブル１１に記憶されている処理対象検索項目に関するニアリー範囲規定情報及び得点算出用係数規定情報を、処理対象検索項目に関する情報（以後の処理で使用する情報）として把握して、ステップＳ２０３の処理を終了する。
【００３１】
ステップＳ２０３の処理を終えた情報検索装置１０は、処理対象検索項目値が、ステップＳ２０３の処理で把握した条件値（処理対象検索項目に関する条件設定用アイテムの設定値）で指定される条件を満たすものであるか否かを判断する(ステップＳ２０４)。そして、情報検索装置１０は、処理対象検索項目値が当該条件を満たすものであった場合(ステップＳ２０４；ＹＥＳ)には、ステップＳ２０３の処理で把握した重要度（処理対象検索項目に関する重要度設定用アイテムの設定値）をＳＵＭに加算(ステップＳ２０９)してから、次の検索項目に対する処理（ステップＳ２０２以降の処理）を開始する。
【００３２】
処理対象検索項目値が、ステップＳ２０３の処理で把握した条件値で指定される条件を満たすものではなかった場合(ステップＳ２０４；ＮＯ)、情報検索装置１０は、処理対象検索項目がニアリー検索が可能なものであるか否かを判断する(ステップＳ２０５）。そして、情報検索装置１０は、処理対象検索項目がニアリー検索が可能なものでなかった場合（ステップＳ２０５；ＮＯ)には、次の検索項目に対する処理を開始する。
【００３３】
また、情報検索装置１０は、処理対象検索項目がニアリー検索が可能なものであった場合(ステップＳ２０５；ＹＥＳ)には、ステップＳ２０３の処理で把握したニアリー検索実行採否値が、“ＯＮ”（実行設定用チェックボックスがチェックされている場合の値）であるか否かを判断する(ステップＳ２０６)。そして、情報検索装置１０は、ニアリー検索実行採否値がＯＮではなかった場合(ステップＳ２０６；ＯＦＦ)には、次の検索項目に対する処理を開始する。
【００３４】
ニアリー検索実行採否値がＯＮであった場合(ステップＳ２０６；ＯＮ)、情報検索装置１０は、処理対象検索項目値が、ステップＳ２０３の処理で把握したニアリー範囲規定情報が示しているニアリー範囲内の値であるか否かを判断(ステップＳ２０７)し、処理対象検索項目値がニアリー範囲内の値でなかった場合(ステップＳ２０７；ＮＯ)には、次の検索項目に対する処理を開始する。
【００３５】
また、情報検索装置１０は、処理対象検索項目値がニアリー範囲内の値であった場合(ステップＳ２０７；ＹＥＳ)には、ステップＳ２０３の処理で把握した得点算出用係数規定情報と処理対象検索項目値とから、今回のケースで使用すべき重要度算出用係数を特定し、“ステップＳ２０３の処理で把握した重要度”×“特定した重要度算出用係数”を，ＳＵＭに加算する処理(ステップＳ２０８)を行う。なお、図３に示してある得点算出用係数規定情報中の“差”とは、処理対象検索項目値の境界値からの隔たり量（“年齢〔処理対象項目値〕ー年齢上限指定値”，“年齢下限指定値−年齢”等）のことである。また、ステップＳ２０７の処理（判断）は、処理対象検索項目が“住所”であった場合、都道府県名テーブル１３を参照して、検索条件として指定された都道府県名が、ステップＳ２０３の処理で把握した住所（都道府県）に隣接する都道府県の名称と一致するか否かを判断し、一致していた場合に、ＹＥＳ側への分岐を行う処理となっている。
【００３６】
その後、情報検索装置１０は、次の検索項目に対する処理を開始し、全検索項目に対する処理が完了した場合(ステップＳ２０２；ＹＥＳ)には、その時点におけるＳＵＭの値を、処理対象レコードに関する総合得点として記憶(ステップＳ２１０)してから、この総合得点算出処理を終了する。
【００３７】
そして、総合得点算出処理（図５：ステップＳ１０３）を終えた情報検索装置１０は、
会員情報データベース１１の全レコード（アクセス者とは性別が異なる会員に関するもの）に対する処理が完了するまで、ステップＳ１０２及びＳ１０３の処理を繰り返し、会員情報データベース１１の全レコードに対する処理が完了した場合（ステップＳ１０１；ＹＥＳ）には、図７に示したような構成の検索結果ページにより、高い総合得点が得られた所定数の会員に関する情報をアクセス者に提供する検索結果提供処理（ステップＳ１０４）を行ってから、図５の処理（受信した検索リクエストに対する処理）を終了する。
【００３８】
以上、説明したように、本実施形態に係る情報検索装置１０は、ニアリー検索を行うことが指定されている検索項目については、その値が，指定された範囲近傍の値であるか否かも考慮して、ユーザが指定した重要度から各情報に関する総合得点を算出（図６：ステップＳ２０７；ＹＥＳ，Ｓ２０８参照。）する装置となっている。
【００３９】
このため、例えば、男性会員が図４に示した条件で検索を行った場合、図８に模式的に示してあるように、指定された範囲内の値ではない項目値（図８において網掛けが付してある項目値）を含む情報であっても、他の各項目値が，指定された範囲内の値或いは指定された範囲近傍の値であった場合には、その情報（例えば、“会員Ａ”に関する情報参照）に関する総合得点として、比較的に高い値が算出されることになる。なお、図７に示した検索結果ページは、この図８に対応する内容のものであり、上記した検索結果提供処理（図６；ステップＳ１０４）は、ステップＳ２０９の処理が行われた項目値が通常の表示形態で示され、ステップＳ２０８の処理が行われた項目値が，通常の表示形態とは異なる第１表示形態（図７では、アンダーライン付）で示され、ステップＳ２０８，Ｓ２０９のいずれの処理も行われなかった項目値（図７には、存在しない）が，通常の表示形態，第１表示形態のいずれとも異なる第２表示形態で示される検索結果ページを提供する処理となっている。
【００４０】
そして、情報検索装置１０は、そのような手順で算出した総合得点の順で各情報を出力する装置である（図７参照）ため、結局、本情報検索装置１０を用いておけば、或る項目値が指定された範囲の値から僅かにずれている情報も検索でき、ユーザが特に希望する条件を満たす情報の出力順を高くすることが可能な環境を、実現できることができる
【００４１】
《変形形態》
上記した情報検索装置１０は、各種の変形を行うことが出来る。例えば、情報検索装置１０は、インターネットに接続されて使用されるもの（いわゆるＷｅｂサーバ）であったが、情報検索装置１０を、スタンドアローンの装置に変形することが出来る。また、情報検索装置１０を、各検索項目に関するニアリー検索のＯＮ／ＯＦＦが行えない装置（常に、ニアリ−検索が行われる装置）に変形することも出来る。
【００４２】
また、情報検索装置１０は、リニア検索を行うことが指示されている検査項目の値が、ニアリー範囲内の値でなかった場合には、総合得点値を変更しない（総合得点値に，得点として“０”を加算する）装置であったが、リニア検索を行うことが指示されている各検査項目について、総合得点値に加算すべき得点は、“指定される条件を満たす場合の得点”＞“指定される条件を満たさないが、ニアリー範囲内の値である場合の得点”＞“それら以外の得点”が成立するものでありさえすれば良い。このため、情報検索装置１０を、リニア検索を行うことが指示されている検査項目の値がニアリー範囲内の値でなかった場合、総合得点値に、“０”以外の得点（第３得点）を加算する装置に変形することも出来る。
【００４３】
また、情報検索装置１０を、検索条件入力ページ／検索結果ページとして、上記したものとは具体的な構成が異なるものを提供するものや、結婚情報サービス以外の情報検索サービスを行うものに変形しても良いことなどは当然のことである。
【００４４】
（付記１）  コンピュータに、
ユーザから、複数種類の項目値のそれぞれについて，その項目値が取るべき値の範囲を指定する範囲指定情報と，数値情報である重要度とを取得する取得ステップと、
前記取得ステップによって取得された前記複数種類の項目値のそれぞれについての前記範囲指定情報に基づき、前記複数種類の項目値を含む情報である複数の検索対象情報のそれぞれについて、その検索対象情報に関する総合得点として、各項目値に関する項目値単位得点の総和を算出する算出ステップであって、前記取得ステップによって取得された範囲指定情報により指定される範囲内の値となっている各項目値に関する前記項目値単位得点を,各項目値に関して前記取得ステップによって取得された重要度と一致する第１得点とし、当該範囲内の値とはなっていないが，当該範囲からの隔たり量が所定値以下となっている各項目値に関する項目値単位得点を，各項目値に関して前記取得ステップによって取得された重要度に“１”以下の比例係数を乗じた値である第２得点とし、当該範囲からの隔たり量が所定値を超えている各項目値に関する項目値単位得点を，前記第２得点よりも少ない第３得点として、前記総合得点を算出する算出ステップと、
検索結果として、前記算出ステップにより算出された総合得点の降順に，所定数の検索対象情報を出力する検索結果出力ステップと
を実行させることを特徴とする情報検索方法。
【００４５】
（付記２）  前記算出ステップが、
前記比例係数として、前記範囲からの隔たり量に応じた予め定められている値を使用するステップである
ことを特徴とする請求項１記載の情報検索方法。
【００４６】
（付記３）  前記取得ステップが、
ユーザから、複数種類の項目値のそれぞれについて，ニアリー検索を行うか否かについての指示も取得するステップであり、
前記算出ステップが、
ニアリー検索を行わないことが指示されている項目値が、前記取得ステップによって取得された範囲指定情報により指定される範囲内の値とはなっていないが，当該範囲からの隔たり量が所定値以下となっていた場合、その項目値に関する項目値単位得点を，前記第３得点とするステップである
ことを特徴とする付記１又は付記２に記載の情報検索方法。
【００４７】
（付記４）  前記取得ステップが、
地名に関する項目値を含む複数種類の項目値のそれぞれについての範囲指定情報を取得するステップであり、
前記算出ステップが、
地名に関する項目値については、その項目値が，前記取得ステップにより前記範囲指定情報として取得された地名と一致していた場合に，前記項目値単位得点を前記第１得点とし、その項目値が，前記取得ステップにより前記範囲指定情報として取得された地名が示している地域に隣接するいずれかの地域の地名と一致していた場合に、前記項目値単位得点を前記第２得点とし、それら以外の場合には、前記項目値単位得点を前記第３得点とするステップである
ことを特徴とする付記１乃至付記３のいずれかに記載の情報検索方法。
【００４８】
（付記５）  前記検索結果出力ステップが、
各項目値が、前記項目値単位得点として、前記第１得点，前記第２得点，前記第３得点のいずれが用いられたものかが分かる形で、前記所定数の検索対象情報を出力するステップである
ことを特徴とする付記１乃至付記４のいずれかに記載の情報検索方法。
【００４９】
（付記６）  ユーザから、複数種類の項目値のそれぞれについて，その項目値が取るべき値の範囲を指定する範囲指定情報，数値情報である重要度とを取得する取得手段と、
前記取得手段により取得された前記複数種類の項目値のそれぞれについての前記範囲指定情報に基づき、前記複数種類の項目値を含む情報である複数の検索対象情報のそれぞれについて、その検索対象情報に関する総合得点として、各項目値に関する項目値単位得点の総和を算出する算出手段であって、前記取得手段により取得された範囲指定情報により指定される範囲内の値となっている各項目値に関する前記項目値単位得点を,各項目値に関して前記取得手段によって取得された重要度と一致する第１得点とし、当該範囲内の値とはなっていないが，当該範囲からの隔たり量が所定値以下となっている各項目値に関する項目値単位得点を，各項目値に関して前記取得ステップによって取得された重要度に“１”以下の比例係数を乗じた値である第２得点とし、当該範囲からの隔たり量が所定値を超えている各項目値に関する項目値単位得点を，前記第２得点よりも少ない第３得点として、前記総合得点を算出する算出手段と、
検索結果として、前記算出ステップにより算出された総合得点の降順に，所定数の検索対象情報を出力する検索結果出力ステップと
検索結果として、前記算出手段により算出された総合得点の降順に，所定数の検索対象情報を出力する検索結果出力手段と
を備えることを特徴とする情報検索装置。
【００５０】
（付記７）  コンピュータに、
ユーザから、複数種類の項目値のそれぞれについて，その項目値が取るべき値の範囲を指定する範囲指定情報と，数値情報である重要度とを取得する取得ステップと、
前記取得ステップによって取得された前記複数種類の項目値のそれぞれについての前記範囲指定情報に基づき、前記複数種類の項目値を含む情報である複数の検索対象情報のそれぞれについて、その検索対象情報に関する総合得点として、各項目値に関する項目値単位得点の総和を算出する算出ステップであって、前記取得ステップによって取得された範囲指定情報により指定される範囲内の値となっている各項目値に関する前記項目値単位得点を,各項目値に関して前記取得ステップによって取得された重要度と一致する第１得点とし、当該範囲内の値とはなっていないが，当該範囲からの隔たり量が所定値以下となっている各項目値に関する項目値単位得点を，各項目値に関して前記取得ステップによって取得された重要度に“１”以下の比例係数を乗じた値である第２得点とし、当該範囲からの隔たり量が所定値を超えている各項目値に関する項目値単位得点を，前記第２得点よりも少ない第３得点として、前記総合得点を算出する算出ステップと、
検索結果として、前記算出ステップにより算出された総合得点の降順に，所定数の検索対象情報を出力する検索結果出力ステップと
を実行させることを特徴とする情報検索プログラム。
【図面の簡単な説明】
【００５１】
【図１】本発明の一実施形態に係る情報検索装置の構成図。
【図２】実施形態に係る情報検索装置が備える会員情報データベースの説明図。
【図３】実施形態に係る情報検索装置が備えるニアリー条件テーブルの説明図。
【図４】実施形態に係る情報検索装置が端末に提供する検索条件入力ページの説明図。
【図５】実施形態に係る情報検索装置が検索リクエスト受信時に実行する処理の流れ図。
【図６】図５の処理中で実行される総合得点算出処理の流れ図。
【図７】実施形態に係る情報検索装置が端末に提供する検索結果ページの説明図。
【図８】実施形態に係る情報検索装置による総合得点の算出結果例の説明図。
【符号の説明】
【００５２】
１０  情報検索装置
１１  会員情報データベース
１２  ニアリー条件テーブル
１３  都道府県情報テーブル
【図１】
2008107868.tif 000003
【図２】
2008107868.tif 000004
【図３】
2008107868.tif 000005
【図４】
2008107868.tif 000006
【図５】
2008107868.tif 000007
【図６】
2008107868.tif 000008
【図７】
2008107868.tif 000009
【図８】
2008107868.tif 000010